(57)【要約】　　　（修正有）【課題】より高密度に情報の記録／再生を行うことが可能な光学的情報記録再生装置を提供する。【解決手段】光磁気ディスクの記録面上に２つのサブビーム２４、２５とサブビームの間にメインビーム２６を照射し、２つのサブビームのディスクによる反射光を各々ディスクの溝方向に平行な方向に２分割された受光素子で検出する。また、この２分割受光素子の出力に基づいてトラッキングエラー信号を生成し、このトラッキングエラー信号に基づいて複数の情報トラックにトラッキング制御を行いメインビームによるスポットで所望のトラックに情報の記録或いは記録情報の再生を行う。【選択図】　　　　　図８
2004087033.tif 000002
【特許請求の範囲】
【請求項１】
ランドもしくはグルーブ内に情報トラックを少なくとも２列有する光学的情報記録媒体に情報の記録或いは記録情報の再生を行う光学的情報記録再生装置であって、前記記録媒体の記録面上に２つのサブビームと前記サブビームの間にメインビームを照射する手段と、前記２つのサブビームの媒体による反射光を検出する各々媒体の溝方向に平行な方向に２分割された受光素子と、前記２分割受光素子の出力に基づいてトラッキングエラー信号を生成する手段とを備え、前記トラッキングエラー信号に基づいてトラッキング制御を行いながらメインビームによるスポットで情報の記録或いは記録情報の再生を行うことを特徴とする光学的情報記録再生装置。
【請求項２】
前記トラッキングエラー信号生成手段は、前記２つのサブビームの反射光を検出する２つの２分割受光素子の各出力差をＴＥ４、ＴＥ５とする場合、ＴＥ４−ＴＥ５によりトラッキングエラー信号を生成することを特徴とする請求項１に記載の光学的情報記録再生装置。
【請求項３】
前記トラッキングエラー信号の極性を切り替えることにより情報トラック間でトラッキングの引き込みを切り替えることを特徴とする請求項１〜２に記載の光学的情報記録再生装置。
【請求項４】
前記２つのサブビームのトラック直交方向の間隔は、媒体の情報記録面上においてランドピッチの略Ｎ／２倍（Ｎは正の奇数）であり、前記メインビームは２つのサブビームの中心に位置していることを特徴とする請求項１〜３に記載の光学的情報記録再生装置。
【請求項５】
ランドもしくはグルーブ内に情報トラックを少なくとも２列有する光学的情報記録媒体に情報の記録或いは記録情報の再生を行う光学的情報記録再生装置であって、前記記録媒体の記録面上にメインビームとサブビームを情報トラックと直交する方向にグルーブ又はランドピッチの略Ｎ／２倍（Ｎは正の奇数）の間隔を持って照射する手段と、前記メインビームの媒体による反射光を検出する４分割受光素子と、前記サブビームの媒体による反射光を検出する受光素子と、前記４分割受光素子の各出力及び前記受光素子の出力、前記メインビーム及びサブビームの媒体への入射光量に基づいてトラッキングエラー信号を生成する手段とを備え、前記トラッキングエラー信号に基づいてトラッキング制御を行いながらメインビームによるスポットで情報の記録或いは記録情報の再生を行うことを特徴とする光学的情報記録再生装置。
【請求項６】
前記トラッキングエラー信号生成手段は、前記受光素子の出力をＥ、前記４分割受光素子の出力をＡ、Ｂ、Ｃ、Ｄ、前記サブビームの媒体への入射光量をＰ１、メインビームの媒体への入射光量をＰ２とする場合、
（Ａ＋Ｂ＋Ｃ＋Ｄ）−（Ｅ・Ｐ２／Ｐ１）
によりトラッキングエラー信号を生成することを特徴とする請求項５に記載の光学的情報記録再生装置。
【請求項７】
前記トラッキングエラー信号の極性を切り替えることにより情報トラック間でトラッキングの引き込みを切り替えることを特徴とする請求項５〜６に記載の光学的情報記録再生装置。
【請求項８】
ランドもしくはグルーブ内に情報トラックを少なくとも２列有する光学的情報記録媒体に情報の記録或いは記録情報の再生を行う光学的情報記録再生装置であって、前記記録媒体の記録面上に２つのサブビームと前記サブビームの間にメインビームを照射する手段と、前記２つのサブビームの媒体による反射光を検出する各々媒体の溝方向に平行な方向に２分割された２分割受光素子と、前記２分割受光素子の受光信号に基づいてトラッキングエラー信号を生成する手段と、前記トラッキングエラー信号にトラッキング位置に応じてオフセットを印加或いはオフセットの極性を切り替えることによりメインビームの所望の情報トラックへのトラッキングを制御するトラッキング制御手段とを備え、前記トラッキング制御手段によりトラッキング制御を行いながらメインビームによるスポットで情報の記録或いは記録情報の再生を行うことを特徴とする光学的情報記録再生装置。
【請求項９】
前記トラッキングエラー信号生成手段は、前記２つのサブビームの反射光を検出する２つの２分割受光素子の各出力差をＴＥ１０、ＴＥ１１とする場合、ＴＥ１０−ＴＥ１１によりトラッキングエラー信号を生成することを特徴とする請求項８に記載の光学的情報記録再生装置。
【請求項１０】
前記２つのサブビームのトラック直交方向の間隔は、媒体の情報記録面上においてランドピッチの略Ｎ／２倍（Ｎは正の奇数）であり、前記メインビームは２つのサブビームの中心に位置していることを特徴とする請求項８〜９に記載の光学的情報記録再生装置。
【請求項１１】
前記２つのサブビームの情報記録面上での大きさは、媒体のランドピッチ程度であることを特徴とする請求項８〜１０に記載の光学的情報記録再生装置。
【請求項１２】
前記記録媒体は、磁壁移動型光磁気媒体であることを特徴とする請求項１、５、８に記載の光学的情報記録再生装置。
【発明の詳細な説明】
【０００１】
【発明の属する技術分野】
本発明は、光学的情報記録媒体に情報を記録或いは記録情報を再生する光学的情報記録再生装置、特に、１つの溝内或いは溝間に少なくとも２列の情報トラックを有する記録媒体を用いて情報の記録或いは再生を行う光学的情報記録再生装置に関するものである。
【０００２】
【従来の技術】
一般に、光学的情報記録媒体の記録情報の再生は、集光レンズによって信号面上に微小スポットを形成し、反射光を光電変換素子で受光することによって行う。この光学的情報記録媒体の高密度化への要求は年々高まるばかりである。
【０００３】
この高密度化を達成する方法としては、例えば、磁壁移動検出（ＤＷＤＤ）等の手段を用いてトラック方向の高密度化を光学的な分解能の制限を超えて実現することが知られている。更なる高密度化を実現するには、トラックピッチを狭め半径方向の高密度化を実現する必要がある。ところが、案内溝の周期が光学系の分解能に近づくと、トラッキング信号が十分に得られなくなる。周知のように光学系の分解能ｄは、収束光の波長λ、対物レンズの開口数ＮＡとすると、
ｄ＝λ／（２・ＮＡ）
によって定められる。例えば、ＤＶＤ−ＲＷで用いられるような光学系では、光源の波長λが６３５ｎｍ、対物レンズの開口数ＮＡが０．６０であるから、分解能ｄは０．５３μｍとなる。媒体のトラックピッチを０．５３μｍに近づけると、十分なトラッキング信号を得ることはできなくなるので、ＤＶＤ−ＲＷではトラックピッチを０．７４μｍにしてトラッキング信号を得ている。
【０００４】
このような光学系の分解能による制限を緩和するため、例えば、特開２０００−３３１３８３に記載されているように隣り合うグルーブの幅が異なるように形成した光学的記録媒体が提案されている。図１６は同公報の記録媒体を示す。同公報のものでは、見かけ上２トラックで１周期の周期構造となるため、解像限界を超えるトラックピッチにまでトラックピッチを狭くしてもトラッキング信号を得ることができる。
【０００５】
【発明が解決しようとする課題】
ところが、同公報に記載の記録媒体においては、各トラックの両側に幅の異なるグルーブを形成する必要があり、トラッキング信号が十分な変調を持つためには、グルーブの幅の差を大きくしなければならず、そのことが、高密度化を制限する原因となっていた。
【０００６】
本発明は、上記従来の問題に鑑みてなされたもので、その目的は、より高密度化を実現可能な光学的情報記録再生装置を提供することにある。
【０００７】
【課題を解決するための手段】
本発明は、上記目的を達成するため、ランドもしくはグルーブ内に情報トラックを少なくとも２列有する光学的情報記録媒体に情報の記録或いは記録情報の再生を行う光学的情報記録再生装置であって、前記記録媒体の記録面上に２つのサブビームと前記サブビームの間にメインビームを照射する手段と、前記２つのサブビームの媒体による反射光を検出する各々媒体の溝方向に平行な方向に２分割された受光素子と、前記２分割受光素子の出力に基づいてトラッキングエラー信号を生成する手段とを備え、前記トラッキングエラー信号に基づいてトラッキング制御を行いながらメインビームによるスポットで情報の記録或いは記録情報の再生を行うことを特徴とする。
【０００８】
また、本発明は、ランドもしくはグルーブ内に情報トラックを少なくとも２列有する光学的情報記録媒体に情報の記録或いは記録情報の再生を行う光学的情報記録再生装置であって、前記記録媒体の記録面上にメインビームとサブビームを情報トラックと直交する方向にグルーブ又はランドピッチのＮ／２倍（Ｎは正の奇数）の間隔を持って照射する手段と、前記メインビームの媒体による反射光を検出する４分割受光素子と、前記サブビームの媒体による反射光を検出する受光素子と、前記４分割受光素子の各出力及び前記受光素子の出力、前記メインビーム及びサブビームの媒体への入射光量に基づいてトラッキングエラー信号を生成する手段とを備え、前記トラッキングエラー信号に基づいてトラッキング制御を行いながらメインビームによるスポットで情報の記録或いは記録情報の再生を行うことを特徴とする。
【０００９】
更に、本発明は、ランドもしくはグルーブ内に情報トラックを少なくとも２列有する光学的情報記録媒体に情報の記録或いは記録情報の再生を行う光学的情報記録再生装置であって、前記記録媒体の記録面上に２つのサブビームと前記サブビームの間にメインビームを照射する手段と、前記２つのサブビームの媒体による反射光を検出する各々媒体の溝方向に平行な方向に２分割された２分割受光素子と、前記２分割受光素子の受光信号に基づいてトラッキングエラー信号を生成する手段と、前記トラッキングエラー信号にトラッキング位置に応じてオフセットを印加或いはオフセットの極性を切り替えることによりメインビームの所望の情報トラックへのトラッキングを制御するトラッキング制御手段とを備え、前記トラッキング制御手段によりトラッキング制御を行いながらメインビームによるスポットで情報の記録或いは記録情報の再生を行うことを特徴とする。
【００１０】
【発明の実施の形態】
次に、本発明の実施の形態について図面を参照して詳細に説明する。
【００１１】
（第１の実施形態）
図１は本発明の光学的情報記録再生装置に用いる光磁気ディスクの構造を示す断面図である。図１（ａ）は光磁気ディスクの基板、図１（ｂ）は光磁気ディスクの断面図である。まず、図１に示すように基板３０はポリカーボネート等の樹脂材料の射出成型により形成され、その表面にはランドＬとグルーブＧが形成されている。また、光磁気ディスク８は記録マークの磁壁を移動させて記録情報を再生する磁壁移動型光磁気媒体である。
【００１２】
磁壁移動型光磁気媒体については、例えば、特開平６−２９０４９６号公報等に記載されているので詳しい説明は省略するが、基板上３０には、移動層、スイッチング層、記録層が積層された磁性膜Ｍが成膜されている。磁壁移動型光磁気媒体の層構成は、これに限ることなく、上記公報等に記載されているように様々な層構成があることは言うまでもない。
【００１３】
また、情報トラックは図１（ｂ）に示すようにグルーブＧ内に等幅でトラックＴ１、Ｔ２の２列設けられている。グルーブＧの中央には、アニール処理によって磁性を変質させている領域Ａを設けてある。同様にランドＬの中央には、アニール処理によって磁性を変質させている領域Ｂを設けてある。領域Ａと領域ＢによってトラックＴ１とＴ２が磁気的に分断されている。
【００１４】
より具体的に述べると、ランド幅ＷＬは０．２μｍ、グルーブ幅ＷＧは０．８μｍであり、ランドピッチＰＬは１．０μｍ、グルーブＧの深さＤは０．０３μｍである。グルーブ中央のアニールされた領域Ａは０．２μｍ程度、ランド上のアニールされた領域Ｂは、ほぼランド幅ＷＬの全体を占めている。なお、ランド幅ＷＬを０．８μｍ、グルーブ幅ＷＧを０．２μｍと逆になっても良く、その場合はランドＬに情報トラックＴ１、Ｔ２を設けて記録を行う。
【００１５】
次に、グルーブＧの中心及びランドＬの中心をアニール処理により磁性を変質させる方法について説明する。図２は光磁気ディスク８のアニール処理に用いる光学系の例を示す。まず、波長４１０ｎｍの半導体レーザ１からの光束が回折格子２によって３本の光束に分けられ、各々の光束はカップリングレンズ３によって平行光束とされる。その後、偏光ビームスプリッタ４を透過し、１／４波長板５を透過した後、アクチュエータ６で位置制御されたＮＡ０．８５の対物レンズ７によって集光され、光磁気ディスク８に膜面側から入射する。
【００１６】
光磁気ディスク８の情報記録面からの反射光は再び対物レンズ７を透過し、１／４波長板５を透過した後、偏光ビームスプリッタ４で反射され、センサレンズ９を透過して受光素子１０に入射する。フォーカスエラー信号はメインビームを用いた非点収差法により得られる。また、アニール処理は対物レンズ７により収束されたメインビームにより行う。
【００１７】
図３は受光素子１０上の受光面を示す。メインビームの反射光は受光素子１０上の４分割受光面１０ａ、１０ｂ、１０ｃ、１０ｄで受光され、それぞれの出力をＡ、Ｂ、Ｃ、Ｄとする場合、（Ａ＋Ｃ）−（Ｂ＋Ｄ）なる演算で得られる信号をフォーカスエラー信号として用いる。
【００１８】
次に、光磁気ディスク８をアニール処理する場合のトラッキング方法について説明する。図４は光磁気ディスク８のグルーブＧ中央の領域Ａをアニール処理する場合の媒体面上のビームスポット、及びメインビーム１３の情報記録面上でのスポット位置に対するトラッキングエラー信号を示す。
【００１９】
スポットサイズは概ね半値での大きさで示している。サブビーム１１と１２のディスク半径方向の間隔は、情報記録面上でランドピッチＰＬの１／４以上でグルーブ幅ＷＧ以下程度にし、メインビーム１３は２つのサブビーム１１、１２の中間に位置するようにする。サブビーム１１、１２の反射光は受光素子１０上の受光面１０ｅ及び１０ｆでそれぞれ受光され、それぞれの出力をＴＥ１、ＴＥ２とする場合、
ＴＥ３＝ＴＥ１−ＴＥ２
で得られる信号ＴＥ３を用いてトラッキング制御を行う。このようにフォーカス制御及びトラッキング制御を行いながら、メインビーム１３をグルーブＧ中央に走査することによって領域Ａのアニール処理を行う。
【００２０】
なお、トラッキング方法としては、サブビーム１１、１２のプッシュプル信号を用いても良い。この場合、サブビーム１１、１２のディスク半径方向の間隔は、記録面上でランドピッチＰＬに等しくなるようにする。
【００２１】
図５は光磁気ディスク８のランドＬ上の領域Ｂをアニール処理する場合の媒体面上のビームスポット、及びメインビーム１３のスポット位置に対するトラッキングエラー信号を示す。図５に示すようにランドＬの中心にメインビーム１３をトラッキングする場合には、メインビーム１３の反射光が受光素子１０上の４分割受光面１０ａ、１０ｂ、１０ｃ、１０ｄで受光され、それぞれの出力をＡ、Ｂ、Ｃ、Ｄとする場合、（Ａ＋Ｄ）−（Ｂ＋Ｃ）なる演算で得られる、いわゆるプッシュプル信号をトラッキングエラー信号としてトラッキング制御を行う。
【００２２】
フォーカスエラー信号はグルーブをアニール処理する場合と同様であり、フォーカス制御と前述のようなプッシュプル信号を用いたトラッキング制御を行いながら、メインビーム１３をランドＬ上に走査することによってランドＬの領域Ｂのアニール処理を行う。
【００２３】
このようにグルーブをアニールする場合とランドをアニールする場合とで、トラッキング方法を切り替えることで、グルーブ中心の領域Ａ及びランド上の領域Ｂのアニール処理を行う。
【００２４】
次に、上述の光磁気ディスクを用いて情報を記録及び記録情報を再生する装置について説明する。図６は本発明による光学的情報記録再生装置の第１の実施形態の構成を示す。まず、波長６５０ｎｍの半導体レーザ１４からの出射光束は、回折格子１５によって１本のメインビームと２本のサブビームの３本の光束に分けられる。各々の光束はカップリングレンズ１６によって平行光束とされ、偏光ビームスプリッタ１７を透過し、アクチュエータ１８で位置制御されたＮＡ０．６の対物レンズ１９によって集光され、光磁気ディスク８上に微小スポットとして照射される。
【００２５】
光磁気ディスク８の上面には対物レンズ１９と対向して変調磁界を印加する磁気ヘッド２０が設けられている。光磁気ディスク８の情報記録面からの反射光は再び対物レンズ１９を透過し、偏光ビームスプリッタ１７で反射され、センサレンズ２１、ウォラストンプリズム２２を経て受光素子２３に入射する。
【００２６】
また、３１は半導体レーザ１４を駆動するレーザ駆動回路、３２は磁気ヘッド２０を駆動する磁気ヘッド駆動回路、３３は記録データを変調して記録信号を生成する記録回路、３４は受光素子２２の出力をもとに再生信号を生成し、更に得られた再生信号を用いて所定の信号処理を行うことで再生データを生成する再生回路である。
【００２７】
更に、３５は受光素子２３の出力信号をもとにフォーカスエラー信号を生成し、得られたフォーカスエラー信号に基づいてフォーカス制御を行うフォーカス制御回路、３６は同様に受光素子２３の出力信号をもとにトラッキングエラー信号を生成し、得られたトラッキングエラー信号に基づいてトラッキング制御を行うトラッキング制御回路、３７、３８はアクチュエータ１８を駆動するアクチュエータドライバーである。
【００２８】
光磁気ディスク８の記録情報を再生する場合は、対物レンズ１９からのメインビーム１３による再生用光束を照射することによって磁壁移動を引き起こし、情報の読み出しを行う。この時、再生回路３４は受光素子２３の信号から再生信号を生成し、得られた再生信号を用いて２値化、復調等の所定の信号処理を行うことにより再生データが得られる。なお、磁壁移動再生については周知であるので詳しい説明は省略する。
【００２９】
一方、光磁気ディスク８に情報を記録する場合には、対物レンズ１９からのメインビーム１３による一定強度の記録用光束を照射しながら磁気ヘッド２０から記録信号に応じて変調された変調磁界を印加して情報の記録を行う。この場合、磁気ヘッド駆動回路３２により磁気ヘッド２０を駆動し、レーザ駆動回路３１によって半導体レーザ１４を駆動することによって記録用光ビームを照射しながら変調磁界を印加することで磁気ディスク８に情報の記録を行う。なお、情報の記録／再生時のフォーカスエラー信号はメインビームの反射光を用いた非点収差法によって生成する。
【００３０】
図７は受光素子２３上の受光面を示す。メインビームの反射光は受光素子２３上の４分割受光面２３ａ、２３ｂ、２３ｃ、２３ｄで受光され、それぞれの出力をＡ、Ｂ、Ｃ、Ｄとする場合、（Ａ＋Ｃ）−（Ｂ＋Ｄ）なる演算で得られる信号がフォーカスエラー信号として用いられる。これは、前述の非点収差法によるフォーカスエラー信号である。フォーカス制御回路３５はこのフォーカスエラー信号を生成し、得られたフォーカスエラー信号に基づいてメインビームが媒体の情報記録面に合焦するようにフォーカス制御を行う。
【００３１】
また、再生信号を生成する場合には、ウォラストンプリズム２２によって互いに直交する成分に偏光分離された光束が受光面２３ｉ、２３ｊで受光され、それぞれの出力をＩ、Ｊとする場合、Ｉ−Ｊなる演算を行うことによって得られる。再生回路３４ではこのようにして再生信号を生成し、得られた再生信号を用いて再生データを生成する。
【００３２】
次に、光磁気ディスク８に情報の記録及び再生する場合のトラッキング方法について説明する。図８は光磁気ディスク８に情報の記録及び再生する場合の媒体面上のビームスポット及びトラッキングエラー信号を示す。スポットサイズは概ね半値での大きさで示している。
【００３３】
サブビーム２４、２５はディスク半径方向の間隔が媒体の情報記録面上においてランドピッチＰＬの１／２に等しくなるようにし、メインビーム２６はサブビーム２４、２５の中心に位置するようにする。サブビーム２４、２５の反射光は、光磁気ディスク８の溝方向に平行な方向に２分割された受光面２３ｅ、２３ｆ及び２３ｇ、２３ｈによって受光される。それぞれの出力をＥ、Ｆ及びＧ、Ｈとする場合、
ＴＥ４＝Ｅ−Ｆ
ＴＥ５＝Ｇ−Ｈ
なる演算を行い、いわゆるプッシュプル信号がそれぞれ得られる。
【００３４】
この時、プッシュプル信号ＴＥ４及びＴＥ５はランドピッチＰＬを周期とする周期信号となる。そこで、サブビーム２４、２５間の距離をランドピッチＰＬの１／２すれば、サブビーム２４、２５のプッシュプル信号ＴＥ４及びＴＥ５間の位相が半周期ずれるので、更に、ＴＥ４−ＴＥ５なる演算を行うことによって周知の差動プッシュプル法によるトラッキングエラー信号ＴＥ６が得られる。トラッキング制御回路３６ではこのようにしてトラッキングエラー信号を生成し、得られたトラッキングエラー信号ＴＥ６に基づいてメインビーム２６が情報トラックＴ１、Ｔ２上をトレースするようにトラッキング制御を行う。
【００３５】
また、トラッキングエラー信号の極性を切り替えることにより、トラックＴ１からＴ２へ、もしくはトラックＴ２からＴ１へ、ビームのトラック引き込みを切り替えることができる。トラッキングエラー信号の極性の切り替えは図示しない制御回路で行う。図８はグルーブＧの２列の情報トラックにサブビームとメインビームがトレースしている状態を示す。
【００３６】
このように光磁気ディスク８の１つのグルーブ（又はランド）内の２列の情報トラックを各々トレースするように記録／再生用の光ビームを正確にトラッキング制御することができる。
【００３７】
（第２の実施形態）
次に、本発明の第２の実施形態について説明する。図９は本発明の第２の実施形態に係る記録及び再生時の媒体面上のビームスポット及びトラッキングエラー信号を示す。光磁気ディスク８は図１のものと同様である。なお、光学的情報記録再生装置の構成は図６と比べて受光素子２３が異なり、媒体の情報記録面上におけるビームスポットの位置が異なっている。その他の構成は図６と同様である。図中２７はサブビーム、２８はメインビームである。サブビーム２７は図６の半導体レーザ１４からの出射光束を回析格子１５によって分割したものであり、一方のサブビームのみを使用している。
【００３８】
本実施形態では、サブビーム２７とメインビーム２８はディスク半径方向の間隔が媒体の情報記録面上においてランドピッチＰＬの半分に等しくなるようにしている。この際、情報の記録及び再生は対物レンズ１９により収束されたメインビーム２８により行い、フォーカスエラー信号はメインビーム２８の反射光を用いた非点収差法によって生成する。
【００３９】
図１０は本実施形態で用いる受光素子２３上の受光面を示す。メインビーム２８の反射光は受光素子２３上の４分割受光面２３ａ、２３ｂ、２３ｃ、２３ｄで受光され、それぞれの出力をＡ、Ｂ、Ｃ、Ｄとする場合、
フォーカスエラー信号＝（Ａ＋Ｃ）−（Ｂ＋Ｄ）
なる演算で得られる。フォーカス制御回路３５は、この演算処理によりフォーカスエラー信号を生成し、得られたフォーカスエラー信号に基づいてフォーカス制御を行う。
【００４０】
また、再生信号を生成する場合には、第１の実施形態と同様にウォラストンプリズム２２によって互いに直交する成分に偏光分離された光束が受光面２３ｉ、２３ｊで受光され、それぞれの出力をＩ、Ｊとする場合、Ｉ−Ｊなる演算を行うことによって得られる。
【００４１】
トラッキングエラー信号に関しては、サブビーム２７とメインビーム２８の反射光が用いられる。サブビーム２７の反射光を受光素子２３上の受光面２３ｅで受光して得られる信号をＥ、メインビーム２８の反射光を受光素子２３上の４分割受光素子２３ａ、２３ｂ、２３ｃ、２３ｄで受光して得られる信号をＡ、Ｂ、Ｃ、Ｄとする場合、トラッキングエラー信号ＴＥ９はサブビーム、メインビームの光磁気ディスク８への入射光量をそれぞれＰ１、Ｐ２として、
ＴＥ７＝Ｅ
ＴＥ８＝（Ａ＋Ｂ＋Ｃ＋Ｄ）
ＴＥ９＝ＴＥ８−（ＴＥ７・Ｐ２／Ｐ１）
で得られる。トラッキング制御回路３６は、この演算処理によりトラッキングエラー信号を生成し、得られたトラッキングエラー信号に基づいてトラッキング制御を行う。
【００４２】
また、第１の実施形態と同様にトラッキングエラー信号の極性を切り替えることにより、情報トラックＴ１からＴ２へ、もしくは情報トラックＴ２からＴ１へ、ビームのトラック引き込みを切り替えることができる。この切り替えは制御回路で行う。
【００４３】
このように本実施形態では、分割受光素子を用いずに１つのグルーブ（又はランド）内に２列の情報トラックを各々トレースするように記録／再生用のビームを正確にトラッキング制御することができる。また、第２の実施形態では、第１の実施形態と比較して受光素子が簡単になるため、その分、構成を簡単化することができる。また、プッシュプル信号を用いるトラッキング方法に対し、ディスクの半径方向の対物レンズシフトやチルトによるオフセットを生じないという利点を有する。
【００４４】
なお、第２の実施形態では、サブビーム２７とメインビーム２８のディスク半径方向の間隔を情報記録面上においてランドピッチの半分に等しくすると説明したが、本発明は、これに限ることなく、Ｎ／２（Ｎは正の奇数）の間隔としても良い。
【００４５】
（第３の実施形態）
図１１は光磁気ディスクの他の実施形態を示す。本実施形態では１つのグルーブ内に４本の情報トラックを有する例を示す。図１１（ａ）は光磁気ディスクの基板の断面図、図１１（ｂ）は光磁気ディスクの断面図である。光磁気ディスク８は磁壁移動型光磁気媒体である。基板上３０には、移動層、スイッチング層、記録層が積層された磁性膜Ｍが成膜されている。磁壁移動型光磁気媒体の層構成は、これに限ることはない。
【００４６】
また、情報トラックは図１１（ｂ）に示すようにグルーブＧ内に等幅でトラックＴ１、Ｔ２、Ｔ３、Ｔ４の４列設けられている。グルーブＧの中央及びグルーブＧの中央からランドピッチＰＬの１／４離れた両側には、アニール処理によって磁性を変質させている領域Ａ及びＣを設けてある。同様にランドＬの中央には、アニール処理によって磁性を変質させている領域Ｂを設けてある。領域Ａ、領域Ｂ、領域Ｃによって情報トラックＴ１、Ｔ２、Ｔ３、Ｔ４が磁気的に分断されている。
【００４７】
ランド幅ＷＬは０．２μｍ、グルーブ幅ＷＧは２．０μｍであり、ランドピッチＰＬは２．２０μｍ、グルーブＧの深さＤは０．０３μｍである。グルーブ内のアニール領域Ａ及びＣは０．２μｍ程度、ランド上のアニールされた領域Ｂはほぼランド幅ＷＬの全体を占めている。なお、ランド幅ＷＬを２．０μｍ、グルーブ幅ＷＧを０．２μｍと逆にしても良く、その場合はランドＬに情報トラックＴ１、Ｔ２、Ｔ３、Ｔ４を設けて記録を行う。
【００４８】
次に、グルーブの中央、グルーブの中央からランドピッチＰＬの１／４離れた両側、及びランドＬの中央をアニール処理により磁性を変質させる方法について説明する。アニールに用いる装置の構成は図２のものとほぼ同様であるが、回析格子２と受光素子１０が異なっている。図１２は本実施形態で用いる回析格子、図１３は受光素子を示す。
【００４９】
続いて、アニール処理の方法について説明する。まず、グルーブＧの中央の領域Ａ及びランドＬの領域Ｂをアニールする方法は第１の実施形態の場合と同様である。図１４はグルーブＧの中央からランドピッチの１／４だけ離れた領域Ｃにアニール用ビームをトラッキングする場合のビーム配置を示す。サブビーム４０、４１はディスク半径方向の間隔が媒体の情報記録面上においてランドピッチＰＬの１／２に等しくなるようにし、メインビーム４２はサブビーム４０、４１の中心に位置するようにする。
【００５０】
また、回析格子の回析格子部１５ａは図１２に示すように入射ビーム径ＤＭより小さい円形状のものにし、回析光のビーム径ＤＳをＤＭより小さくして光磁気ディスク８への集光時のＮＡを落とし、情報記録面上でのサブビーム４０、４１のスポットをランドピッチＰＬ程度に大きくする。サブビーム４０、４１の反射光は、図１３に示すように光磁気ディスク８の溝方向に平行な方向に２分割された受光面１０ｅ、１０ｆ及び１０ｇ、１０ｈによって受光され、受光面１０ｅ、１０ｆ及び１０ｇ、１０ｈの出力をＥ、Ｆ及びＧ、Ｈとする場合、
ＴＥ１０＝Ｅ−Ｆ
ＴＥ１１＝Ｇ−Ｈ
なる演算を行い、いわゆるプッシュプル信号がそれぞれ得られる。
【００５１】
更に、ＴＥ１０−ＴＥ１１なる演算を行うことによって周知の差動プッシュプル法によるトラッキングエラー信号ＴＥ１２が得られ、このＴＥ１２を用いることによって領域Ｃのアニール処理を行う。このようにしてグルーブ内の領域Ａ、Ｃ及びランド上の領域Ｂのアニール処理を行う。
【００５２】
次に、図１１の光磁気ディスク８を用いて情報を記録／再生する光学的情報記録再生装置について説明する。装置の構成は図６と同様であるが、アニール処理の場合と同様に回析格子１５として図１２のものを用いる。図１５は記録／再生時の媒体上のビーム配置及びトラッキングエラー信号を示す。サブビーム４３、４４はディスク半径方向の間隔が媒体の情報記録面上においてランドピッチＰＬの１／２に等しくなるようにし、メインビーム４５はサブビーム４３、４４の中心に位置するようにする。
【００５３】
また、回析格子の回析格子部１５ａは図１２に示すように入射ビーム径ＤＭより小さい円形状のものにし、回析光のビーム径ＤＳをＤＭより小さくして光磁気ディスク８への集光時のＮＡを落とし、情報記録面上でのサブビーム４３、４４のスポットをランドピッチＰＬ程度に大きくする。
【００５４】
グルーブ内のトラックＴ１〜Ｔ４にメインビームをトラッキングする場合は、アニール時と同様に差動プッシュプル信号（ＴＥ１２）を用いる。まず、トラックＴ１、Ｔ４にトラッキングする場合には、図１５に示すようにトラッキング制御回路３６においてトラッキングエラー信号にトラックオフセットを加えてトラッキング位置をＰＬ／８ずらす。
【００５５】
また、トラックＴ２、Ｔ３にトラッキングする場合には、トラックＴ１、Ｔ４にトラッキングする場合の逆極性のトラックオフセットを加えることによりトラッキング制御を行う。このようにして１つのグルーブ又はランド内の４本の情報トラックに情報の記録／再生を行う。なお、ここではトラッキング制御についてのみ説明したが、フォーカス制御や情報の記録／再生については図６の場合と同様である。
【００５６】
また、以上の実施形態では、光磁気ディスクの１つのグルーブ又はランド内に２本と４本の情報トラックを形成して情報の記録／再生を行う例について説明したが、本発明は、これに限ることなく、１つのグルーブ又はランド内に３本或いは５本以上のトラックを形成して情報を記録／再生することもできる。この場合には、トラッキング位置に応じたオフセットと極性の切り替えを行うことにより所望のトラックにトラッキング制御を行う。
【００５７】
【発明の効果】
以上説明したように本発明によれば、光学的な分解能を超えてトラック密度を高めても、良好な記録／再生性能を得ることができ、従来に比べて情報記録の高密度化を実現することができる。
【図面の簡単な説明】
【図１】本発明の光学的情報記録再生装置の第１の実施形態に用いる光磁気ディスクを示す断面図である。
【図２】図１の光磁気ディスクをアニール処理するアニール装置の光学系の構成例を示す図である。
【図３】図２のアニール装置に用いる受光素子の受光面を示す図である。
【図４】図１の光磁気ディスクのグルーブ中心をアニール処理する場合の記録面上のビームスポット及びトラッキングエラー信号を示す図である。
【図５】図１の光磁気ディスクのランド上をアニール処理する場合の記録面上のビームスポット及びトラッキングエラー信号を示す図である。
【図６】本発明による光学的情報記録再生装置の第１の実施形態を示す図である。
【図７】図６の光学的情報記録再生装置に用いる受光素子の受光面を示す図である。
【図８】第１の実施形態の記録時或いは再生時の媒体記録面上のビームスポットとトラッキングエラー信号を示す図である。
【図９】本発明の第２の実施形態における記録時或いは再生時の媒体記録面上のビームスポットとトラッキングエラー信号を示す図である。
【図１０】第２の実施形態に用いる受光素子の受光面を示す図である。
【図１１】本発明の第３の実施形態に用いる光磁気ディスクを示す断面図である。
【図１２】図１１の光磁気ディスクのアニール処理に用いる光学系の回析格子を示す図である。
【図１３】図１１の光磁気ディスクのアニール処理に用いる光学系の受光素子を示す図である。
【図１４】図１１の光磁気ディスクをアニール処理する場合の媒体上のビームスポットとトラッキングエラー信号を示す図である。
【図１５】図１１の光磁気ディスクに情報を記録／再生する場合の媒体上のビームスポットとトラッキングエラー信号を示す図である。
【図１６】従来例の媒体構造を示す図である。
【符号の説明】
１、１４　半導体レーザ
２、１５　回折格子
３、１６　カップリングレンズ
４、１７　偏光ビームスプリッタ
５　１／４波長板
６、１８　アクチュエータ
７、１９　対物レンズ
８　光磁気ディスク
９、２１　センサレンズ
２２　ウォラストンプリズム
１０、２３　受光素子
２０　磁気ヘッド
１１、１２、４１、４２　アニール時のサブビーム
１３、２６、４３　アニール時のメインビーム
２４、２５、２７、４３、４４　記録／再生時のサブビーム
２６、２８、４５　記録／再生時のメインビーム
３０　基板
３１　レーザ駆動回路
３２　磁気ヘッド駆動回路
３３　記録回路
３４　再生回路
３５　フォーカス制御回路
３６　トラッキング制御回路
３７、３８　アクチュエータドライバー
Ｔ１、Ｔ２、Ｔ３、Ｔ４　情報トラック
Ｇ　グルーブ
Ｌ　ランド
Ｍ　磁性膜
【図１】
2004087033.tif 000003
【図２】
2004087033.tif 000004
【図３】
2004087033.tif 000005
【図４】
2004087033.tif 000006
【図５】
2004087033.tif 000007
【図６】
2004087033.tif 000008
【図７】
2004087033.tif 000009
【図８】
2004087033.tif 000010
【図９】
2004087033.tif 000011
【図１０】
2004087033.tif 000012
【図１１】
2004087033.tif 000013
【図１２】
2004087033.tif 000014
【図１３】
2004087033.tif 000015
【図１４】
2004087033.tif 000016
【図１５】
2004087033.tif 000017
【図１６】
2004087033.tif 000018